(57)【要約】【課題】レジ待ち時間を短くすること。【解決手段】登録精算装置は、現金以外の精算方法である場合であって、電子マネーまたはクレジットカードによって買上商品の代金が決済された場合または品券の品券額と買上商品の合計金額とが同じである場合あるいは品券を用いた精算方法によって釣銭を払い出さない仕様であり且つ品券の品券額が買上商品の合計金額よりも大きい場合、買上商品の支払いに用いられた現金以外による精算方法によって決済された決済金額と、買上商品の合計金額とを含む情報を出力し、登録精算装置の精算処理において現金以外の精算方法でない場合または品券を用いた精算方法によって釣銭を払い出す仕様であり且つ品券の品券額が買上商品の合計金額よりも大きい場合あるいは品券の品券額が合計金額よりも大きくない場合、精算処理を実行させるための情報と買上商品の合計金額を含む情報を出力する。【選択図】図２
2018092643.tif 000002
【特許請求の範囲】
【請求項１】
買上商品を登録する登録処理と該登録処理によって登録された商品について現金以外による精算を行う精算処理とを実行する登録精算装置と、前記登録処理によって登録された商品に基づき顧客が自ら操作して少なくとも現金を用いて精算処理を行う精算装置を含むＰＯＳシステムにおいて、
前記登録精算装置は、
当該登録精算装置の精算処理において電子マネー、クレジットカード、品券のいずれかを用いた精算方法である場合であって、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、を備え、
前記精算装置は、
前記第二の出力手段で出力された少なくとも前記精算装置において精算処理を実行させるための情報と、前記買上商品の支払いに用いられる前記買上商品の合計金額を含む情報を取得する取得手段と、
前記取得手段で取得した前記精算装置において精算処理を実行させるための情報と、前記買上商品の支払いに用いられる前記買上商品の合計金額を含む情報に基づき前記買上商品の代金決済を行う決済手段と、
前記決済手段により決済がなされると、少なくとも前記決済手段で決済された前記買上商品の合計金額を含む情報を出力する第三の出力手段と、
を備えたことを特徴とするＰＯＳシステム。
【請求項２】
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置であって、
前記現金以外によって精算を行うための電子マネー、クレジットカード、品券の何れかを受け付ける受付手段と、
前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、
を備えたことを特徴とする登録精算装置。
【請求項３】
買上商品を登録する登録処理と該登録処理によって登録された商品について現金以外による精算を行う精算処理とを実行する登録精算装置として第１コンピュータを機能させ、前記登録処理によって登録された商品に基づき顧客が自ら操作して少なくとも現金を用いて精算処理を行う精算装置として第２コンピュータを機能させる、ＰＯＳシステムのプログラムであって、
前記第１コンピュータに対し、
当該第１コンピュータが実行する精算処理において電子マネー、クレジットカード、品券のいずれかを用いた精算方法である場合であって、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該第１コンピュータが実行する精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段を実行させ、
前記第２コンピュータに対し、
前記第１コンピュータの前記第二の出力手段で出力された少なくとも前記精算装置において精算処理を実行させるための情報と、前記買上商品の支払いに用いられる前記買上商品の合計金額を含む情報を取得する取得手段と、
前記取得手段で取得した前記精算装置において精算処理を実行させるための情報と、前記買上商品の支払いに用いられる前記買上商品の合計金額を含む情報に基づき前記買上商品の代金決済を行う決済手段と、
前記決済手段により決済がなされると、少なくとも前記決済手段で決済された前記買上商品の合計金額を含む情報を出力する第三の出力手段と、
を実行させるためのプログラム。
【請求項４】
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置として機能するコンピュータに、
前記現金以外によって精算を行うための電子マネー、クレジットカード、品券の何れかを受け付ける受付手段と、
前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、
を実行させるためのプログラム。
【発明の詳細な説明】
【技術分野】
【０００１】
本発明は、ＰＯＳシステム、登録精算装置、及びプログラムに関する。
【背景技術】
【０００２】
従来、商品に付されたバーコードをスキャンして商品を登録し、精算を行うＰＯＳレジスタが知られている（例えば、特許文献１参照）。このようなＰＯＳ（Ｐｏｉｎｔ  Ｏｆ
Ｓａｌｅｓ）レジスタによれば、販売時点の情報の収集に加え、各商品の販売価格を覚えていない店員であってもバーコードをスキャンすれば登録が完了するため、販売価格を確認するために処理が滞るような場面がほとんどなくなる。
【先行技術文献】
【特許文献】
【０００３】
【特許文献１】特開２０１０−４９５６６号公報
【発明の概要】
【発明が解決しようとする課題】
【０００４】
しかしながら、ＰＯＳレジスタを導入した場合であっても、来店客数がピークとなる時間帯などにおいては、稼動させているＰＯＳレジスタの単位時間当たりの処理能力に比べ、来店客数が多くなるため、どうしても、いわゆる、レジ待ち時間（登録待ち列）が長くなるという問題がある。
【０００５】
上記事情に鑑み、本発明は、レジ待ち時間を短くする技術の提供を目的としている。
【課題を解決するための手段】
【０００６】
本発明の一態様は、買上商品を登録する登録処理と該登録処理によって登録された商品について現金以外による精算を行う精算処理とを実行する登録精算装置と、前記登録処理によって登録された商品に基づき顧客が自ら操作して少なくとも現金を用いて精算処理を行う精算装置を含むＰＯＳシステムにおいて、前記登録精算装置は、当該登録精算装置の精算処理において電子マネー、クレジットカード、品券のいずれかを用いた精算方法である場合であって、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、を備え、前記精算装置は、前記第二の出力手段で出力された少なくとも前記精算装置において精算処理を実行させるための情報と、前記買上商品の支払いに用いられる前記買上商品の合計金額を含む情報を取得する取得手段と、前記取得手段で取得した前記精算装置において精算処理を実行させるための情報と、前記買上商品の支払いに用いられる前記買上商品の合計金額を含む情報に基づき前記買上商品の代金決済を行う決済手段と、前記決済手段により決済がなされると、少なくとも前記決済手段で決済された前記買上商品の合計金額を含む情報を出力する第三の出力手段と、を備えたことを特徴とするＰＯＳシステムである。
【０００７】
本発明の一態様は、買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置であって、前記現金以外によって精算を行うための電子マネー、クレジットカード、品券の何れかを受け付ける受付手段と、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、を備えたことを特徴とする登録精算装置である。
【０００８】
本発明の一態様は、本発明の一態様は、買上商品を登録する登録処理と該登録処理によって登録された商品について現金以外による精算を行う精算処理とを実行する登録精算装置として第１コンピュータを機能させ、前記登録処理によって登録された商品に基づき顧客が自ら操作して少なくとも現金を用いて精算処理を行う精算装置として第２コンピュータを機能させる、ＰＯＳシステムのプログラムであって、前記第１コンピュータに対し、当該第１コンピュータが実行する精算処理において電子マネー、クレジットカード、品券のいずれかを用いた精算方法である場合であって、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、当該第１コンピュータが実行する精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段を実行させ、前記第２コンピュータに対し、前記第１コンピュータの前記第二の出力手段で出力された少なくとも前記精算装置において精算処理を実行させるための情報と、前記買上商品の支払いに用いられる前記買上商品の合計金額を含む情報を取得する取得手段と、前記取得手段で取得した前記精算装置において精算処理を実行させるための情報と、前記買上商品の支払いに用いられる前記買上商品の合計金額を含む情報に基づき前記買上商品の代金決済を行う決済手段と、前記決済手段により決済がなされると、少なくとも前記決済手段で決済された前記買上商品の合計金額を含む情報を出力する第三の出力手段と、を実行させるためのプログラムである。
【０００９】
本発明の一態様は、買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置として機能するコンピュータに、前記現金以外によって精算を行うための電子マネー、クレジットカード、品券の何れかを受け付ける受付手段と、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、を実行させるためのプログラムである。
【発明の効果】
【００１０】
本発明により、レジ待ち時間を短くすることが可能となる。
【図面の簡単な説明】
【００１１】
【図１】本実施形態におけるＰＯＳシステムのシステム構成を示す図である。
【図２】本発明の一実施形態における登録精算装置１００の構成を示すブロック図である。
【図３】本発明の一実施形態における精算装置２００の構成を示すブロック図である。
【図４】明細情報が印字されているレシートの具体例を示す図である。
【図５】明細情報が印字されていないレシートの具体例を示す図である。
【図６】本実施形態における登録精算装置１００のレシート発行処理の流れの具体例を示すフローチャートである。
【図７】本実施形態における精算装置２００での精算処理の流れの具体例を示すフローチャートである。
【発明を実施するための形態】
【００１２】
以下、本発明の一実施形態を、図面を参照しながら説明する。
図１は、本実施形態におけるＰＯＳシステムのシステム構成を示す図である。本発明のＰＯＳシステムは、買上商品を登録する登録処理と該登録処理によって登録された商品について精算する精算処理とを実行するＮ台（Ｎは１以上の整数）の登録精算装置１００、及び、登録精算装置における登録処理によって登録された商品について精算する精算処理を実行するＭ台（Ｍは１以上の整数）の精算装置２００を含む商品登録精算システムである。また、登録精算装置１００と、精算装置２００とは、ＬＡＮ（Local Area Network）により接続されており、互いに通信可能である。
【００１３】
登録精算装置１００は、店員の操作により、顧客が購入する商品（以下、「買上商品」という。）の登録及び精算を行う。登録精算装置１００は、一取引の精算時に、顧客の精算方法に応じて、買上商品の情報（以下、「明細情報」という。）が印字されたレシート（第１の様式のシート）、又は、明細情報が印字されていないレシート（第２の様式のシート）を発行する。
精算装置２００は、顧客の操作により、買上商品の精算を行う。顧客は、店員による商品の登録後、登録精算装置１００から発行された明細情報が印字されていないレシートを用いて、精算装置２００において自ら精算を行う。精算装置２００は、精算処理後、その精算処理に関する情報（例えば、合計金額、つり銭など）が印字されたシート（以下、「買上レシート」という。）を発行する。また、精算装置２００は、顧客の指示に応じて領収書（領収証）を発行する。
【００１４】
図２は、本発明の一実施形態における登録精算装置１００の構成を示すブロック図である。登録精算装置１００は、ＣＰＵ（Central Processing Unit）１０１と、ＲＯＭ（Read Only Memory）１０２と、ＲＡＭ（Random Access Memory）１０３と、スキャナ部１０４と、店員用表示部１０５と、客用表示部１０６と、操作部１０７と、通信部１０８と、ブザー１０９と、レシート発行口１１０と、印字部１１１と、電子マネー読取部１１２と、クレジットカード読取部１１３とを備える。上記の登録精算装置１００の各機能部は、バス１を介して互いに接続されている。
【００１５】
ＣＰＵ１０１は、中央演算処理装置であり、ＲＯＭ１０２に記憶されているプログラムを読み出してＲＡＭ１０３に展開する。ＣＰＵ１０１は、展開したプログラムの各ステップを実行することによって、登録精算装置１００全体の動作を制御する。
また、ＣＰＵ１０１（精算方法特定手段）は、顧客の精算方法を特定する。ＣＰＵ３０１は、例えば操作部１０７から入力された「現金」、「クレジットカード」、「電子マネー（例えば、ｓｕｉｃａ（登録商標）など）」、「商品券」などの精算方法に関する情報（精算方法情報）に基づいて精算方法を特定する。
【００１６】
また、ＣＰＵ１０１（印字発行制御手段）は、精算方法に応じた様式のレシートを印字、発行するように制御する。より具体的には、ＣＰＵ１０１（印字発行制御手段）は、特定された精算方法が現金以外での精算方法である場合には、少なくとも自装置（登録精算装置１００）にて精算処理を実行した後の明細情報が印字される第１の様式のシートを発行するように制御し、特定された前記精算方法が現金での精算方法である場合には、少なくとも精算装置２００にて精算処理を実行するための会計情報が印字される第２の様式のシートを発行するように制御する。
【００１７】
即ち、操作部１０７から入力された精算方法情報が「現金」を示す場合、ＣＰＵ１０１（印字発行制御手段）は、精算装置２００にて精算処理を実行させるための情報が印字された会計券を発行するように印字部１１１に指示する。また、操作部１０７から入力された精算方法情報が「クレジットカード」、「電子マネー」、「商品券」を示す場合、ＣＰＵ１０１は、自装置（登録精算装置１００）にて精算処理を実行した後の明細情報が印字されたレシートを発行するように印字部１１１に指示する。
【００１８】
ＲＯＭ１０２は、読み出し専用のメモリであり、登録精算装置１００を動作させるためのプログラムを予め記憶する。
ＲＡＭ１０３は、種々の情報を記憶する読み出し書き込みメモリである。ＲＡＭ１０３には、ＲＯＭ１０２から読み出されたプログラムが展開される。また、ＲＡＭ１０３は、プログラムが実行されることによって生成された各種データを記憶する。
【００１９】
スキャナ部１０４は、商品に付されているバーコード（商品コード）を光学的に読み取る。
店員用表示部１０５は、ＣＲＴ（Cathode Ray Tube）ディスプレイ、液晶ディスプレイ、有機ＥＬ（Electro Luminescence）ディスプレイ等の画像表示装置である。また、店員用表示部１０５は、モード切替、設定、登録等の操作の受付と表示とを行う。店員用表示部１０５の表示面には、透明な接点スイッチであるタッチキー（ソフトキー）が設けられているタッチパネルが備えられており、商品登録が行われた商品情報や買上商品の合計金額などが表示される。商品情報とは、商品に関する情報である。
【００２０】
客用表示部１０６は、商品登録を行った商品情報や買上商品の合計金額などを顧客に対して表示する。また、客用表示部１０６は、液晶ディスプレイ等を用いた発光型の表示デバイスであり、例えば、７セグメント表示やドット表示（フルドット表示）によって数字などをその表面に発光して表示する。
【００２１】
操作部１０７は、キーボード、ポインティングデバイス（マウス、タブレット等）、ボタン、タッチパネル等の既存の入力装置を用いて構成される。操作部１０７は、登録精算装置１００を動作させるための操作手段を備える。操作手段は、例えば、商品登録の完了を宣言する完了キー（例えば、小計キーなど）、訂正キー、プリセットキー、数字キー、品券キー、クレジットキー、電子マネーキーなどである。また、例えば、操作部１０７は、店員が操作キー（プリセットキー）を押下すると、そのキーに対応して予め設定登録された商品コード等について、操作入力を受け付ける。なお、これら操作部１０７の操作手段は、メカキー（ハードキー）などのボタンとして配置されていてもよいし、店員用表示部１０５の表示面上に設けられたタッチパネルに配置されてもよい。
【００２２】
通信部１０８は、ネットワークを介して、不図示の外部装置または精算装置２００と通信する。ネットワークは、どのように構成されたネットワークでもよい。例えば、ＬＡＮを用いて構成されてもよい。また、外部装置とは、例えば、ストアコントローラ（上位管理装置）である。
ブザー１０９は、ＣＰＵ１０１の指示に従って、ブザー音を発生させる。
【００２３】
レシート発行口１１０は、登録精算装置１００に内蔵された印字部１１１によって印刷される各種シートを排出する。各種シートとは、例えば、クレジットレシート、電子マネーレシート、品券レシート、会計券などである。クレジットレシートは、クレジットキーが押下されて精算処理が完了した後に発行されるレシートである。電子マネーレシートは、電子マネーキーが押下されて精算処理が完了した後に発行されるレシートである。品券レシートは、品券キーが押下され、かつ、商品券に印字された金額（以下、「品券額」という。）が一取引における買上商品の合計金額よりも高い場合や、品券額と買上商品の合計金額とが同じ場合に発行されるレシートである。会計券は、現計キーが押下された場合や買上商品の合計金額が品券額より高い場合に発行されるレシートである。会計券には、少なくとも一取引における商品の合計金額が印字される。また、レシート発行口１１０は、店員の操作に応じて領収書（領収証）を発行する。
【００２４】
印字部１１１は、不図示のサーマルヘッドと、該サーマルヘッドへ押圧されてセットされるプラテンローラからなり、該プラテンローラはステッピングモータで駆動される。そして、シートはサーマルヘッドとプラテンローラ間を搬送され、該ステッピングモータは、ＣＰＵ１０１からの信号により所定パルス分だけ駆動することでシートが所定量だけ発行されるようになる。シートには、例えば、クレジットレシート、電子マネーレシート、品券レシート、会計券などが印刷され、レシート発行口１１０から発行される。
【００２５】
電子マネー読取部１１２は、電子マネーカード（媒体）を挿入可能な構造を有しており、挿入された電子マネーカードに記憶されている金額情報を無線により読み取り、読み取った金額情報をＣＰＵ１０１に出力する。電子マネー読取部１１２は、ＣＰＵ１０１から入力された精算金額と等しい額が差し引かれた金額情報を電子マネーカードに記憶させる。
クレジットカード読取部１１３は、クレジットカード（媒体）を挿入可能な構造を有しており、挿入されたクレジットカードに記憶されている顧客情報を、磁気を用いて読み取り、読み取った情報をＣＰＵ１０１に出力する。顧客情報とは、顧客に関する情報である。
【００２６】
図３は、本発明の一実施形態における精算装置２００の構成を示すブロック図である。
精算装置２００は、ＣＰＵ２０１と、ＲＯＭ２０２と、ＲＡＭ２０３と、スキャナ部２０４と、表示部２０５と、操作部２０６と、撮像部（カメラ）２０７と、通信部２０８と、ブザー２０９と、レシート発行口２１０と、印字部２１１と、釣銭釣札部２１２、ハードディスク２１３とを備える。上記の精算装置２００の各機能部は、バス２を介して互いに接続されている。なお、スキャナ部２０４、撮像部２０７は、精算装置２００と一体ではなく、精算装置２００に着脱可能な別体（外付）であってもよい。
【００２７】
ＣＰＵ２０１は、中央演算処理装置であり、ＲＯＭ２０２に記憶されているプログラムを読み出してＲＡＭ２０３に展開する。ＣＰＵ２０１は、展開したプログラムの各ステップを実行することによって、精算装置２００全体の動作を制御する。
また、ＣＰＵ２０１（認識手段）は、所定のシートに印字されている印字内容を認識する。ＣＰＵ２０１（認識手段）は、例えば一取引において、登録精算装置１００での登録処理を実行し、精算処理が完了していない商品について発行されるシートに印字されている印字内容を認識する。より具体的には、ＣＰＵ２０１は、撮像部２０７によって撮像された画像データからＯＣＲ（Optical Character Reader）により、会計券に印字されている印字内容を読み取り、印字内容を認識する。
【００２８】
また、ＣＰＵ２０１（精算手段）は、認識された印字内容に基づいて精算処理を行う。
ＣＰＵ２０１（精算手段）は、例えば認識された印字内容に応じて、登録精算装置１００における登録処理によって登録された商品について精算を行う。
【００２９】
ＲＯＭ２０２は、読み出し専用のメモリであり、精算装置２００を動作させるためのプログラムを予め記憶する。
ＲＡＭ２０３は、種々の情報を記憶する読み出し書き込みメモリである。ＲＡＭ２０３には、ＲＯＭ２０２から読み出されたプログラムが展開される。また、ＲＡＭ２０３は、プログラムが実行されることによって生成された各種データを記憶する。
【００３０】
スキャナ部２０４は、会計券に付されているバーコードを光学的に読み取る。
表示部２０５は、ＣＲＴディスプレイ、液晶ディスプレイ、有機ＥＬディスプレイ等の画像表示装置である。また、表示部２０５は、モード切替、設定、登録等の操作の受付と表示とを行う。表示部２０５の表示面には、透明な接点スイッチであるタッチキー（ソフトキー）が設けられているタッチパネルが備えられており、ＣＰＵ２０１によって認識された買上商品の合計金額などが表示される。
【００３１】
操作部２０６は、キーボード、ポインティングデバイス（マウス、タブレット等）、ボタン、タッチパネル等の既存の入力装置を用いて構成される。操作部２０６は、精算装置２００を動作させるための操作手段を備える。操作手段は、例えば、精算実行キーなどである。精算実行キーは、精算装置２００に対して精算処理を開始させる際に顧客によって使用されるキーである。操作部２０６の操作手段は、メカキー（ハードキー）などのボタンとして配置されていてもよいし、表示部２０５の表示面上に設けられたタッチパネルに配置されてもよい。
撮像部２０７は、撮影を行い、画像データを生成する。撮像部２０７は、生成した画像データをＣＰＵ２０１に出力する。
【００３２】
通信部２０８は、ネットワークを介して、不図示の外部装置または登録精算装置１００と通信する。ネットワークは、どのように構成されたネットワークでもよい。例えば、ＬＡＮを用いて構成されてもよい。また、外部装置とは、例えば、ストアコントローラ（上位管理装置）である。
ブザー２０９は、ＣＰＵ２０１の指示に従って、ブザー音を発生させる。
【００３３】
レシート発行口２１０は、精算装置２００に内蔵された印字部２１１によって印刷される買上シートを発行する。また、レシート発行口２１０は、ＣＰＵ２０１の指示に従い、領収書を発行する。
印字部２１１は、不図示のサーマルヘッドと、該サーマルヘッドへ押圧されてセットされるプラテンローラからなり、該プラテンローラはステッピングモータで駆動される。そして、シートはサーマルヘッドとプラテンローラ間を搬送され、該ステッピングモータは、ＣＰＵ２０１からの信号により所定パルス分だけ駆動することで買上シートが印字されるようになる。
【００３４】
釣銭釣札部２１２は、現金投入口と現金払出口を有する。釣銭釣札部２１２は、現金投入口に現金が投入された場合、投入された現金の種別情報及び数量情報をＣＰＵ２０１に出力する。また、釣銭釣札部２１２は、ＣＰＵ２０１から入力された差額情報に応じた金額の釣銭又は釣札を現金払出口から払い出す。
ハードディスク２１３は、例えば、磁気記録装置などの記録装置である。ハードディスク２１３は、種々の情報を記憶する。ハードディスク２１３は、例えばシートに印字されている印字内容を特定する文字情報が格納されているリストを複数記憶している。ハードディスク２１３は、例えば品券を表す文字情報（第２の情報）が格納されているリスト（以下、「品券リスト」という。）を記憶している。品券を表す文字情報とは、例えば「品券」、「クーポン」などの文字情報である。
【００３５】
また、ハードディスク２１３は、例えば合計金額を表す文字情報（第１の情報）が格納されているリスト（以下、「合計金額リスト」という。）を記憶している。合計金額を表す文字情報とは、例えば「合計金額」、「合計」などの文字情報である。また、ハードディスク２１３は、例えば不足金額を表す文字情報が格納されているリスト（以下、「不足金額リスト」という。）を記憶している。不足金額を表す文字情報とは、例えば「不足金額」、「支払金額」などの文字情報である。また、ハードディスク２１３は、例えばお釣りを表す文字情報が格納されているリスト（以下、「釣銭リスト」という。）を記憶している。お釣りを表す文字情報とは、例えば「お釣り」、「つり銭」などの文字情報である。ＣＰＵ２０１は、ＲＡＭ２０３に記憶されている顧客の買上商品の情報をハードディスク２１３に記憶させる。なお、ＲＯＭ２０３に代えて、ハードディスク２１３が、上記プログラムを記憶してもよい。
【００３６】
次に、図４及び図５を用いて、登録精算装置１００が発行するレシートについて具体的に説明する。
図４は、登録精算装置１００が発行した明細情報が印字されているレシートの具体例を示す図である。図４（Ａ）は、クレジットレシートの一例を示す図である。図４（Ａ）に示すクレジットレシートには、買上商品（図４（Ａ）では、乾電池）や顧客の精算方法に関する情報（図４（Ａ）では、クレジットカード情報）などの明細情報が印字されている。
【００３７】
図４（Ｂ）は、電子マネーレシートの一例を示す図である。図４（Ｂ）に示す電子マネーレシートには、買上商品（図４（Ｂ）では、乾電池）や顧客の精算方法に関する情報（図４（Ｂ）では、電子マネーの情報）などの明細情報が印字されている。
図４（Ｃ）は、品券レシートの一例を示す図である。図４（Ｃ）に示す品券レシートには、買上商品（図４（Ｃ）では、乾電池）や顧客の精算方法に関する情報（図４（Ｃ）では、品券の情報）などの明細情報が印字されている。
【００３８】
図５は、登録精算装置１００が発行した明細情報が印字されていないレシート（会計券）の具体例を示す図である。顧客は、この明細情報が印字されていない会計券を精算装置２００の撮像部２０７に撮像させることによって精算を行う。
図５（Ａ）は、品券額が合計金額よりも大きい場合に発行される払出有の会計券を示す図である。図５（Ａ）に示す会計券には、領域１０内に「品券額」、「合計金額」、「お釣り」の各文字情報が印字されている。また、領域２０内に「￥１０００」、「￥９５０」、「￥５０」の各金額情報が印字されている。会計券には、各文字情報と各金額情報とが対応付けられて印字されている。例えば、図５（Ａ）に示す例では、文字情報「品券額」に対応付けられて印字されている金額情報が「￥１０００」であり、文字情報「合計金額」に対応付けられて印字されている金額情報が「￥９５０」であり、文字情報「お釣り」に対応付けられて印字されている金額情報が「￥５０」であることが表されている。即ち、図５（Ａ）に示す払出有の会計券は、精算装置２００にて５０円のお釣りが払い出されることが分かる。
【００３９】
図５（Ｂ）は、合計金額が品券額よりも大きい場合に発行される会計券を示す図である。図５（Ｂ）に示す例では、文字情報「合計金額」に対応付けられて印字されている金額情報が「￥１０００」であり、文字情報「品券額」に対応付けられて印字されている金額情報が「￥５００」であり、文字情報「支払金額」に対応付けられて印字されている金額情報が「￥５００」であることが表されている。即ち、図５（Ｂ）に示す会計券は、精算装置２００にて５００円の支払いが発生することが分かる。
図５（Ｃ）は、支払方法が現金である場合に発行される会計券を示す図である。図５（Ｃ）に示す例では、文字情報「支払金額」に対応付けられて印字されている金額情報が「￥９８０」であることが表されている。即ち、図５（Ｃ）に示す会計券は、精算装置２００にて９８０円の支払いが発生することが分かる。
【００４０】
図６は、本実施形態における登録精算装置１００のレシート発行処理の流れの具体例を示すフローチャートである。
ステップＳ１０：ＣＰＵ１０１は、商品の登録を受け付ける。その後、ステップＳ１２の処理に進む。
ステップＳ１２：ＣＰＵ１０１は、商品の登録が完了したか否かを判定する。具体的には、ＣＰＵ１０１は、操作部１０７の小計キーが押下されたか否かを判定する。商品の登録が完了した場合、ステップＳ１４の処理に進む。商品の登録が完了していない場合、ステップＳ１０の処理に戻る。
【００４１】
ステップＳ１４：次に、ＣＰＵ１０１は、店員の操作に応じてクレジットキーが押下されたか否かを判定する。クレジットキーが押下された場合、ステップＳ１６の処理に進む。クレジットキーが押下されていない場合、ステップＳ１８の処理に進む。
ステップＳ１６：ＣＰＵ１０１は、印字部１１１にクレジットレシートの印字、発行を指示する。印字部１１１は、ＣＰＵ１０１の指示に従い、クレジットレシート（図４（Ａ）参照）を印字し、レシート発行口１１０から発行する。その後、レシート発行処理が終了する。
【００４２】
ステップＳ１８：次に、ＣＰＵ１０１は、店員の操作に応じて電子マネーキーが押下されたか否かを判定する。電子マネーキーが押下された場合、ステップＳ２０の処理に進む。電子マネーキーが押下されていない場合、ステップＳ２２の処理に進む。
ステップＳ２０：ＣＰＵ１０１は、印字部１１１に電子マネーレシートの印字、発行を指示する。印字部１１１は、ＣＰＵ１０１の指示に従い、電子マネーレシート（図４（Ｂ）参照）を印字し、レシート発行口１１０から発行する。その後、レシート発行処理が終了する。
【００４３】
ステップＳ２２：次に、ＣＰＵ１０１は、店員の操作に応じて品券キーが押下されたか否かを判定する。品券キーが押下された場合、ステップＳ２４の処理に進む。品券キーが押下されていない場合、ステップＳ３８の処理に進む。
ステップＳ２４：ＣＰＵ１０１は、品券額と買上商品の合計金額とが同じであるか否かを判定する。具体的には、ＣＰＵ１０１は、一取引の精算時に使用された商品券などの品券の金額と買上商品の合計金額とが同じであるか否かを判定する。品券額と合計金額とが同じである場合、ステップＳ２６の処理に進む。品券額と合計金額とが異なる場合、ステップＳ２８の処理に進む。
【００４４】
ステップＳ２６：ＣＰＵ１０１は、印字部１１１に品券レシートの印字、発行を指示する。印字部１１１は、ＣＰＵ１０１の指示に従い、品券レシート（図４（Ｃ）参照）を印字し、レシート発行口１１０から発行する。その後、レシート発行処理が終了する。
ステップＳ２８：次に、ＣＰＵ１０１は、自装置（登録精算装置１００）が釣銭払い無し仕様であるか否かを判定する。具体的には、ＣＰＵ１０１は、自装置の仕様が、品券額が合計金額よりも大きい場合に品券額と合計金額との差分をお釣りとしてレシートに印字する仕様であるか否かを判定する。釣銭払い無し仕様である場合、ステップＳ３０の処理に進む。釣銭払い無し仕様ではない場合、ステップＳ３６の処理に進む。
【００４５】
ステップＳ３０：次に、ＣＰＵ１０１は、品券額が合計金額よりも大きいか否かを判定する。品券額が合計金額よりも大きい場合、ステップＳ３２の処理に進む。品券額が合計金額よりも大きくない場合、ステップＳ３４の処理に進む。
ステップＳ３２：ＣＰＵ１０１は、印字部１１１に釣銭無しの品券レシートの印字、発行を指示する。印字部１１１は、ＣＰＵ１０１の指示に従い、釣銭無しの品券レシートを印字し、レシート発行口１１０から発行する。その後、レシート発行処理が終了する。
ステップＳ３４：ＣＰＵ１０１は、印字部１１１に会計券の印字、発行を指示する。印字部１１１は、ＣＰＵ１０１の指示に従い、会計券（図５（Ｂ）参照）を印字し、レシート発行口１１０から発行する。その後、レシート発行処理が終了する。
【００４６】
ステップＳ３６：ＣＰＵ１０１は、品券額が合計金額よりも大きいか否かを判定する。
品券額が合計金額よりも大きい場合、ステップＳ３８の処理に進む。品券額が合計金額よりも大きくない場合、ステップＳ３４の処理に進む。
ステップＳ３８：ＣＰＵ１０１は、印字部１１１に会計券の印字、発行を指示する。印字部１１１は、ＣＰＵ１０１の指示に従い、会計券（図５（Ａ）参照、払出有）を印字し、レシート発行口１１０から発行する。その後、レシート発行処理が終了する。
【００４７】
ステップＳ４０：ＣＰＵ１０１は、現計キーが押下されたか否かを判定する。具体的には、ＣＰＵ１０１は、精算方法が現金であることを示す情報が入力されたか否かを判定する。現計キーが押下された場合、ステップＳ４２の処理に進む。現計キーが押下されていない場合、ステップＳ１４の処理に戻る。
ステップＳ４２：ＣＰＵ１０１は、印字部１１１に会計券の印字、発行を指示する。印字部１１１は、ＣＰＵ１０１の指示に従い、会計券（例えば、図５（Ｃ）参照）を印字し、レシート発行口１１０から発行する。その後、レシート発行処理が終了する。
【００４８】
図７は、本実施形態における精算装置２００での精算処理の流れの具体例を示すフローチャートである。
ステップＳ５０：ＣＰＵ２０１は、精算用キーの入力を受け付ける。顧客の操作に応じて精算用キーが押下されると、ステップＳ５２の処理に進む。
ステップＳ５２：撮像部２０７は、顧客から近づけられた会計券を撮影し、画像データを生成する。撮像部２０７は、生成した画像データをＣＰＵ２０１に出力する。その後、ステップＳ５４の処理に進む。
【００４９】
ステップＳ５４：ＣＰＵ２０１は、撮像部２０７によって生成された画像データからＯＣＲにより印字内容（文字情報及び金額情報）を取得する。ＣＰＵ２０１は、例えば画像データから「合計金額」、「品券」などの文字情報を取得し、文字情報に対応付けられて印字されている金額情報を取得する。その後、ステップＳ５６の処理に進む。
ステップＳ５６：ＣＰＵ２０１は、画像データから文字情報を複数取得したか否かを判定する。文字情報を複数取得した場合、ステップＳ５６の処理に進む。文字情報を複数取得していない場合、ステップＳ６６の処理に進む。
【００５０】
ステップＳ５８：ＣＰＵ２０１は、取得した文字情報に、品券を表す文字情報があるか否かを判定する。具体的には、ＣＰＵ２０１は、ハードディスク２１３に記憶されている品券リストを参照し、取得した文字情報に一致する文字情報が品券リストに格納されているか否かを判定する。品券の文字情報がある場合、ステップＳ６０の処理に進む。品券の文字情報がない場合、ステップＳ６６の処理に進む。
【００５１】
ステップＳ６０：次に、ＣＰＵ２０１は、品券額が合計金額よりも大きいか否かを判定する。具体的には、以下の通りである。まず、ＣＰＵ２０１は、品券リストに格納されている文字情報と一致した文字情報に対応付けられて印字されている金額情報を品券額として取得する。次に、ＣＰＵ２０１は、ハードディスク２１３に記憶されている合計金額リストを参照し、ステップＳ５４の処理で取得した文字情報の中から合計金額を表す文字情報を取得する。次に、ＣＰＵ２０１は、取得した合計金額を表す文字情報に対応付けられて印字されている金額情報を合計金額として取得する。その後、ＣＰＵ２０１は、品券額と合計金額とを比較して、品券額が合計金額よりも大きいか否かを判定する。品券額が合計金額よりも大きい場合、ステップＳ６２の処理に進む。品券額が合計金額よりも大きくない場合、ステップＳ６６の処理に進む。
【００５２】
ステップＳ６２：ＣＰＵ２０１は、品券額から合計金額を減算した値をお釣りとして釣銭釣札部２１２から払い出す。その後、ステップＳ６４の処理に進む。
ステップＳ６４：ＣＰＵ２０１は、印字部２１１に買上レシートの印字、発行を指示する。印字部２１１は、ＣＰＵ２０１の指示に従い、買上レシートを印字し、レシート発行口２１０から発行する。その後、精算処理が終了する。
【００５３】
ステップＳ６６：ＣＰＵ２０１は、支払金額を特定して表示部２０５に表示する。具体的には、ステップＳ５６の処理において、文字情報を複数取得していない場合、ＣＰＵ２０１は取得した文字情報に対応付けられて印字されている金額情報を支払金額として表示部２０５に表示する。また、ステップＳ５８の処理において、品券の文字情報が無かった場合、ＣＰＵ２０１はハードディスク２１３に記憶されている不足金額リストを参照し、ステップＳ５４の処理で取得した文字情報の中から不足金額を表す文字情報を取得する。その後、ＣＰＵ２０１は取得した不足金額を表す文字情報に対応付けられて印字されている金額情報を支払金額として表示部２０５に表示する。また、ステップＳ６０の処理において、品券額が合計金額よりも大きくない場合、ＣＰＵ２０１は合計金額から品券額を減算した値を支払金額として表示部２０５に表示する。その後、ステップＳ６８の処理に進む。
【００５４】
ステップＳ６８：釣銭釣札部２１２の現金投入口は、顧客から支払金額の投入を受け付ける。その後、ステップＳ７０の処理に進む。
ステップＳ７０：現金投入口に現金が投入されると、釣銭釣札部２１２は投入された現金の種別情報及び数量情報をＣＰＵ２０１に出力する。また、釣銭釣札部２１２は、ＣＰＵ２０１から入力された差額情報に応じた金額の釣銭又は釣札を現金払出口から払い出す。
その後、ステップＳ６４の処理に進む。
【００５５】
なお、図７の精算処理が終了すると、精算装置２００の通信部２０８は、取引データを登録精算装置１００又は不図示のストアコントローラに送信してもよい。取引データとは、一取引ごとに、精算装置２００にて行われた精算処理のデータである。具体的には、取引データは、一取引において、合計金額がいくらであり、預り金がいくらであり、お釣りがいくらであったかを示すデータである。
【００５６】
以上のように構成されたＰＯＳシステムによれば、顧客の精算方法に応じてレシートを発行させることができる。具体的には、登録精算装置１００は、一取引において、クレジットカード、電子マネー、商品券などの現金以外での精算方法が選択されると、明細情報を印字したレシートを発行する。また、登録精算装置１００は、一取引において、クレジットカード、電子マネー、商品券などの現金での精算方法が選択されると、顧客に精算装置２００にて精算を実行させるためのレシートを発行する。したがって、登録精算装置１００は、精算処理に時間がかかってしまう現金での精算を行わない。それに対して、登録精算装置１００は、現金での精算処理に比べて比較的精算処理の時間が短いクレジットカード、電子マネー、商品券などの現金以外での精算処理を行う。そのため、レジ待ち時間を短くすることが可能となる。
【００５７】
＜変形例＞
本実施例では、会計券には買上商品に関する情報として、文字情報が印字される構成を示したが、これに限定される必要はない。例えば、買上商品に関する情報をＪＡＮコード（例えば、２次元バーコード）で表し、会計券に印字してもよい。
また、図６のステップＳ４０の処理において、所定回数以上、現計キーが押下されない場合、ＣＰＵ１０１はブザー１０９にブザー音を発生させて店員にエラーを通知してもよい。
【００５８】
以上、この発明の実施形態について図面を参照して詳述してきたが、具体的な構成はこの実施形態に限られるものではなく、この発明の要旨を逸脱しない範囲の設計等も含まれる。
本実施形態で示したＰＯＳシステムにおける登録精算装置１００及び精算装置２００に関し、以下の付記を開示する。
（付記１）
買上商品を登録する登録処理と該登録処理によって登録された商品について精算する精算処理とを実行する登録精算装置、及び、前記登録精算装置における登録処理によって登録された商品について精算する精算処理を実行する精算装置を含む商品登録精算システムにおける精算装置であって、所定のシートに印字されている印字内容を認識する認識手段と、登録処理によって登録された商品について精算する精算手段とを備え、前記認識手段は、一取引において、前記登録精算装置での登録処理を実行し、精算処理が完了していない商品について発行されるシートに印字されている印字内容を認識し、前記精算手段は、前記認識手段によって認識された前記印字内容に応じて、前記登録精算装置における登録処理によって登録された前記商品について精算することを特徴とする精算装置である。
これにより、登録精算装置において商品の登録後、未精算である商品について発行されるシートを読み取って、読み取ったシートに基づいて精算処理が実行される。つまり、精算装置は、登録精算装置（別の装置）によって実行された登録処理に続いて、精算処理を実行する。即ち、登録精算装置の処理の一部（精算処理）が、当該精算装置において実行される。従って、登録精算装置のレジ待ち時間が短くなる。なお、従来の登録精算装置に対し、上述の買上シートを発行する仕組みを組み込めば上述の効果を得ることができるため、従来の登録精算装置を改造等して使用する場合には手間とコストが抑えられる。
（付記２）
前記認識手段は、所定の印字内容を特定する文字情報を予め記憶している記憶部を参照することによって、商品の合計金額を表す文字情報である第１の文字情報、及び、商品券を表す文字情報である第２の文字情報を特定し、前記第１の文字情報に対応付けて印字されている第１の値と、前記第２の文字情報に対応付けて印字されている第２の値とを認識し、前記精算手段は、前記第１の値が第２の値よりも大きい場合には、前記第１の値から前記第２の値を減算した値を支払金額として前記商品について精算し、前記第２の値が前記第１の値よりも大きい場合には、前記第２の値から前記第１の値を減算した値をつり銭として前記商品について精算する。
これにより、精算装置は、登録精算装置で発行された明細情報が印字されていないシートの精算処理を実行することができる。したがって、精算装置は、登録精算装置の一部の精算処理を行うことができる。従って、登録精算装置のレジ待ち時間が短くなる。
（付記３）
前記認識手段は、前記シートに印字されている印字内容を認識することによって、前記印字内容から文字情報を取得し、前記精算手段は、所定の印字内容を特定する文字情報を予め記憶している記憶部を参照することによって、前記認識手段によって取得された前記文字情報と一致する文字情報を検索し、前記記憶部に記憶されている文字情報と前記認識手段によって認識された前記文字情報とが一致する情報が、支払金額を表す文字情報である場合には、前記一致する文字情報に対応付けて印字されている値を支払金額として前記商品について精算し、一致する文字情報が、つり銭を表す文字情報である場合には、前記一致する文字情報に対応付けて印字されている値をつり銭として前記商品について精算する。
これにより、精算装置は、登録精算装置で発行された明細情報が印字されていないシートに印字内容に文字情報が一つしか存在しない場合であっても、精算処理を実行することができる。したがって、精算装置は、登録精算装置の一部の精算処理を行うことができる。従って、登録精算装置のレジ待ち時間が短くなる。
（付記４）
買上商品を登録する登録処理と該登録処理によって登録された商品について現金以外による精算を行う精算処理とを実行する登録精算装置と、前記登録処理によって登録された商品に基づき顧客が自ら操作して少なくとも現金を用いて精算処理を行う精算装置を含むＰＯＳシステムにおいて、前記登録精算装置は、当該登録精算装置の精算処理において電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額と、を含む情報を出力する第一の出力手段と、当該登録精算装置の精算処理において電子マネーまたはクレジットカードを用いた精算方法でない場合、少なくとも前記買上商品の支払いに用いられる前記買上商品の合計金額を含む情報を出力する第二の出力手段と、を備え、前記精算装置は、前記第二の出力手段で出力された少なくとも前記買上商品の支払いに用いられる前記買上商品の合計金額を含む情報を取得する取得手段と、前記取得手段で取得した前記買上商品の支払いに用いられる前記買上商品の合計金額を含む情報に基づき前記買上商品の代金決済を行う決済手段と、前記決済手段により決済がなされると、少なくとも前記決済手段で決済された前記買上商品の合計金額を含む情報を出力する第三の出力手段と、を備えたことを特徴とするＰＯＳシステム。
（付記５）
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置であって、前記現金以外によって精算を行うための電子マネーまたはクレジットカードの何れかを受け付ける受付手段と、前記受付手段が受け付けた電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額と、を含む情報を出力する第一の出力手段と、当該登録精算装置の精算処理において電子マネーまたはクレジットカードを用いた精算方法でない場合、少なくとも前記買上商品の支払いに用いられる前記買上商品の合計金額を含む情報を出力する第二の出力手段と、を備えたことを特徴とする登録精算装置。
（付記６）
買上商品を登録する登録処理と該登録処理によって登録された商品について現金以外による精算を行う精算処理とを実行する登録精算装置として第１コンピュータを機能させ、前記登録処理によって登録された商品に基づき顧客が自ら操作して少なくとも現金を用いて精算処理を行う精算装置として第２コンピュータを機能させる、ＰＯＳシステムのプログラムであって、前記第１コンピュータに対し、当該第１コンピュータが実行する精算処理において電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額をと、を含む情報を出力する第一の出力手段と、当該第１コンピュータが実行する精算処理において用いられる前記買上商品の合計金額を含む情報を出力する第二の出力手段を実行させ、前記第２コンピュータに対し、前記第１コンピュータの前記第二の出力手段で出力された少なくとも前記買上商品の支払いに用いられる前記買上商品の合計金額を含む情報を取得する取得手段と、前記取得手段で取得した前記買上商品の支払いに用いられる前記買上商品の合計金額を含む情報に基づき前記買上商品の代金決済を行う決済手段と、前記決済手段により決済がなされると、少なくとも前記決済手段で決済された前記買上商品の合計金額を含む情報を出力する第三の出力手段と、を実行させるためのプログラム。
（付記７）
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置として機能するコンピュータに、前記現金以外によって精算を行うための電子マネーまたはクレジットカードの何れかを受け付ける受付手段と、前記受付手段が受け付けた電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額と、を含む情報を出力する第一の出力手段と、当該登録精算装置の精算処理において電子マネーまたはクレジットカードを用いた精算方法でない場合、少なくとも前記買上商品の支払いに用いられる前記買上商品の合計金額を含む情報を出力する第二の出力手段と、を実行させるためのプログラム。
【００５９】
なお、本発明の図６、図７の各処理を実行するためのプログラムをコンピュータ読み取り可能な記録媒体に記録して、当該記録媒体に記録されたプログラムをコンピュータシステムに読み込ませ、実行することにより、登録精算装置１００及び精算装置２００の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【００６０】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（DynamicRandomAccessMemory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【００６１】
１００…登録精算装置，  １０１…ＣＰＵ，  １０２…ＲＯＭ，  １０３…ＲＡＭ，  １０４…スキャナ部，  １０５…店員用表示部，  １０６…客用表示部，  １０７…操作部，  １０８…通信部，  １０９…ブザー，  １１０…レシート発行口，  １１１…印字部，  １１２…電子マネー読取部，  １１３…クレジットカード読取部，２００…精算装置，  ２０１…ＣＰＵ，  ２０２…ＲＯＭ，  ２０３…ＲＡＭ，  ２０４…スキャナ部，  ２０５…表示部，  ２０６…操作部，  ２０７…撮像部，  ２０８…通信部，  ２０９…ブザー，  ２１０…レシート発行口，  ２１１…印字部，  ２１２…釣銭釣札部，  ２１３…ハードディスク
【図１】
2018092643.tif 000003
【図２】
2018092643.tif 000004
【図３】
2018092643.tif 000005
【図４】
2018092643.tif 000006
【図５】
2018092643.tif 000007
【図６】
2018092643.tif 000008
【図７】
2018092643.tif 000009
【手続補正書】
【提出日】平成30年2月16日(2018.2.16)
【手続補正１】
【補正対象書類名】特許請求の範囲
【補正対象項目名】全文
【補正方法】変更
【補正の内容】
【特許請求の範囲】
【請求項１】
精算装置とともにＰＯＳシステムを構成する商品登録装置であって、
買上商品を特定する商品コードを取得し、前記買上商品の情報を登録する登録手段と、
前記登録手段によって登録された前記買上商品の情報に基づいて前記買上商品の合計金額を算出する算出手段と、
前記買上商品の代金支払いに用いる品券の入力を受け付ける受付手段と、
前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段と、
前記受付手段により入力を受け付けた前記品券に基づき、釣銭の払出しを行う設定なのか釣銭の払出しを行わない設定なのかを判定する判定手段と、
前記品券に基づき釣銭の払出しを行う設定であり、前記品券の品券額が前記買上商品の合計金額より大きくない場合、または前記品券の品券額が前記買上商品の合計金額よりも大きい場合には、前記精算装置で前記品券の品券額と前記買上商品の合計金額とに基づき差額を計算するために、少なくとも前記買上商品の合計金額と前記品券の品券額とを含む情報を出力し、前記品券に基づき釣銭の払出しを行わない設定であり、前記品券の品券額が前記買上商品の合計金額よりも大きくない場合に、前記精算装置で前記品券の品券額と前記買上商品の合計金額とに基づき差額を計算するために、少なくとも前記買上商品の合計金額と前記品券の品券額とを含む情報を出力する第１出力手段と、
前記品券に基づき釣銭の払出しを行う設定であり、前記品券の品券額と前記買上商品の合計金額とが等しい場合、または、前記品券に基づき釣銭の払出しを行わない設定であり、前記品券の品券額が前記買上商品の合計金額より大きい場合には、少なくとも前記買上商品の明細と前記品券の品券額と前記買上商品の合計金額とを含む情報を出力する第２出力手段と、
を具備したことを特徴とする商品登録装置。
【請求項２】
精算装置とともにＰＯＳシステムを構成する商品登録装置であって、
買上商品を特定する商品コードを取得し、前記買上商品の情報を登録する登録手段と、
前記登録手段によって登録された前記買上商品の情報に基づいて前記買上商品の合計金額を算出する算出手段と、
前記買上商品の代金支払いに用いる品券の入力を受け付ける受付手段と、
前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段と、
前記品券の品券額が前記買上商品の合計金額よりも大きくない場合、または前記品券の品券額が前記買上商品の合計金額よりも大きい場合に、前記精算装置で前記品券の品券額と前記買上商品の合計金額とに基づき差額を計算するために、少なくとも前記買上商品の合計金額と前記品券の品券額を含む情報を出力する第１出力手段と、
前記品券の品券額と前記買上商品の合計金額とが等しい場合に、少なくとも前記買上商品の明細と前記品券の品券額と前記買上商品の合計金額とを出力する第２発行手段と、
を具備したことを特徴とする商品登録装置。
【請求項３】
精算装置とともにＰＯＳシステムを構成する商品登録装置であって、
買上商品を特定する商品コードを取得し、前記買上商品の情報を登録する登録手段と、
前記登録手段によって登録された前記買上商品の情報に基づいて前記買上商品の合計金額を算出する算出手段と、
前記買上商品の代金支払いに用いる品券の入力を受け付ける受付手段と、
前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段と、
前記品券の品券額が前記買上商品の合計金額よりも大きくない場合に、前記精算装置で前記品券の品券額と前記買上商品の合計金額とに基づき差額を計算するために、少なくとも前記買上商品の合計金額と前記品券の品券額を含む情報とを出力する第１出力手段と、
前記品券の品券額が前記買上商品の合計金額より大きい場合に、少なくとも前記買上商品の明細と前記品券の品券額と前記買上商品の合計金額とを出力する第２出力手段と、
を具備したことを特徴とする商品登録装置。
【請求項４】
前記精算装置が複数ある場合であって、一の精算装置で精算処理が終了すると、精算処理が終了した決済情報を受信することを特徴とする請求項１乃至３のいずれか１項に記載の商品登録装置。
【請求項５】
前記差額出力手段により出力される差額は不足額であることを特徴とする請求項１乃至３のいずれか１項に記載の商品登録装置。
【請求項６】
精算装置とともにＰＯＳシステムを構成する商品登録装置を制御するコンピュータを、
買上商品を特定する商品コードを取得し、前記買上商品の情報を登録する登録手段、
前記登録手段によって登録された前記買上商品の情報に基づいて前記買上商品の合計金額を算出する算出手段、
前記買上商品の代金支払いに用いる品券の入力を受け付ける受付手段、
前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段、
前記受付手段により入力を受け付けた前記品券に基づき、釣銭の払出しを行う設定なのか釣銭の払出しを行わない設定なのかを判定する判定手段、
前記品券に基づき釣銭の払出しを行う設定であり、前記品券の品券額が前記買上商品の合計金額より大きくない場合、または前記品券の品券額が前記買上商品の合計金額よりも大きい場合には、前記精算装置で前記品券の品券額と前記買上商品の合計金額とに基づき差額を計算するために、少なくとも前記買上商品の合計金額と前記品券の品券額とを含む情報を出力し、前記品券に基づき釣銭の払出しを行わない設定であり、前記品券の品券額が前記買上商品の合計金額よりも大きくない場合に、前記精算装置で前記品券の品券額と前記買上商品の合計金額とに基づき差額を計算するために、少なくとも前記買上商品の合計金額と前記品券の品券額とを含む情報を出力する第１出力手段、
前記品券に基づき釣銭の払出しを行う設定であり、前記品券の品券額と前記買上商品の合計金額とが等しい場合、または、前記品券に基づき釣銭の払出しを行わない設定であり、前記品券の品券額が前記買上商品の合計金額より大きい場合には、少なくとも前記買上商品の明細と前記品券の品券額と前記買上商品の合計金額とを含む情報を出力する第２出力手段、
として機能させるための制御プログラム。
【手続補正３】
【補正対象書類名】明細書
【補正対象項目名】０００１
【補正方法】変更
【補正の内容】
【０００１】
本発明は、商品登録装置及び制御プログラムに関する。
【手続補正４】
【補正対象書類名】明細書
【補正対象項目名】０００６
【補正方法】変更
【補正の内容】
【０００６】
本発明の一態様は、精算装置とともにＰＯＳシステムを構成する商品登録装置であって、買上商品を特定する商品コードを取得し、前記買上商品の情報を登録する登録手段と、前記登録手段によって登録された前記買上商品の情報に基づいて前記買上商品の合計金額を算出する算出手段と、前記買上商品の代金支払いに用いる品券の入力を受け付ける受付手段と、前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段と、前記受付手段により入力を受け付けた前記品券に基づき、釣銭の払出しを行う設定なのか釣銭の払出しを行わない設定なのかを判定する判定手段と、前記品券に基づき釣銭の払出しを行う設定であり、前記品券の品券額が前記買上商品の合計金額より大きくない場合、または前記品券の品券額が前記買上商品の合計金額よりも大きい場合には、前記精算装置で前記品券の品券額と前記買上商品の合計金額とに基づき差額を計算するために、少なくとも前記買上商品の合計金額と前記品券の品券額とを含む情報を出力し、前記品券に基づき釣銭の払出しを行わない設定であり、前記品券の品券額が前記買上商品の合計金額よりも大きくない場合に、前記精算装置で前記品券の品券額と前記買上商品の合計金額とに基づき差額を計算するために、少なくとも前記買上商品の合計金額と前記品券の品券額とを含む情報を出力する第１出力手段と、前記品券に基づき釣銭の払出しを行う設定であり、前記品券の品券額と前記買上商品の合計金額とが等しい場合、または、前記品券に基づき釣銭の払出しを行わない設定であり、前記品券の品券額が前記買上商品の合計金額より大きい場合には、少なくとも前記買上商品の明細と前記品券の品券額と前記買上商品の合計金額とを含む情報を出力する第２出力手段と、を具備したことを特徴とする商品登録装置である。
【手続補正５】
【補正対象書類名】明細書
【補正対象項目名】０００７
【補正方法】変更
【補正の内容】
【０００７】
本発明の一態様は、精算装置とともにＰＯＳシステムを構成する商品登録装置であって、買上商品を特定する商品コードを取得し、前記買上商品の情報を登録する登録手段と、前記登録手段によって登録された前記買上商品の情報に基づいて前記買上商品の合計金額を算出する算出手段と、前記買上商品の代金支払いに用いる品券の入力を受け付ける受付手段と、前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段と、前記品券の品券額が前記買上商品の合計金額よりも大きくない場合、または前記品券の品券額が前記買上商品の合計金額よりも大きい場合に、前記精算装置で前記品券の品券額と前記買上商品の合計金額とに基づき差額を計算するために、少なくとも前記買上商品の合計金額と前記品券の品券額を含む情報を出力する第１出力手段と、前記品券の品券額と前記買上商品の合計金額とが等しい場合に、少なくとも前記買上商品の明細と前記品券の品券額と前記買上商品の合計金額とを出力する第２発行手段と、を具備したことを特徴とする商品登録装置である。
【手続補正６】
【補正対象書類名】明細書
【補正対象項目名】０００８
【補正方法】変更
【補正の内容】
【０００８】
本発明の一態様は、精算装置とともにＰＯＳシステムを構成する商品登録装置であって、買上商品を特定する商品コードを取得し、前記買上商品の情報を登録する登録手段と、前記登録手段によって登録された前記買上商品の情報に基づいて前記買上商品の合計金額を算出する算出手段と、前記買上商品の代金支払いに用いる品券の入力を受け付ける受付手段と、前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段と、前記品券の品券額が前記買上商品の合計金額よりも大きくない場合に、前記精算装置で前記品券の品券額と前記買上商品の合計金額とに基づき差額を計算するために、少なくとも前記買上商品の合計金額と前記品券の品券額を含む情報とを出力する第１出力手段と、前記品券の品券額が前記買上商品の合計金額より大きい場合に、少なくとも前記買上商品の明細と前記品券の品券額と前記買上商品の合計金額とを出力する第２出力手段と、を具備したことを特徴とする商品登録装置である。
【手続補正７】
【補正対象書類名】明細書
【補正対象項目名】０００９
【補正方法】変更
【補正の内容】
【０００９】
本発明の一態様は、上記の登録精算装置であって、前記精算装置が複数ある場合であって、一の精算装置で精算処理が終了すると、精算処理が終了した決済情報を受信する。
本発明の一態様は、上記の登録精算装置であって、前記差額出力手段により出力される差額は不足額である。
本発明の一態様は、精算装置とともにＰＯＳシステムを構成する商品登録装置を制御するコンピュータを、買上商品を特定する商品コードを取得し、前記買上商品の情報を登録する登録手段、前記登録手段によって登録された前記買上商品の情報に基づいて前記買上商品の合計金額を算出する算出手段、前記買上商品の代金支払いに用いる品券の入力を受け付ける受付手段、前記受付手段により入力を受け付けた前記品券の品券額が、前記算出手段によって算出された前記買上商品の合計金額よりも大きくない場合に、前記品券の品券額と前記買上商品の合計金額との差額を計算し出力する差額出力手段、前記受付手段により入力を受け付けた前記品券に基づき、釣銭の払出しを行う設定なのか釣銭の払出しを行わない設定なのかを判定する判定手段、前記品券に基づき釣銭の払出しを行う設定であり、前記品券の品券額が前記買上商品の合計金額より大きくない場合、または前記品券の品券額が前記買上商品の合計金額よりも大きい場合には、前記精算装置で前記品券の品券額と前記買上商品の合計金額とに基づき差額を計算するために、少なくとも前記買上商品の合計金額と前記品券の品券額とを含む情報を出力し、前記品券に基づき釣銭の払出しを行わない設定であり、前記品券の品券額が前記買上商品の合計金額よりも大きくない場合に、前記精算装置で前記品券の品券額と前記買上商品の合計金額とに基づき差額を計算するために、少なくとも前記買上商品の合計金額と前記品券の品券額とを含む情報を出力する第１出力手段、前記品券に基づき釣銭の払出しを行う設定であり、前記品券の品券額と前記買上商品の合計金額とが等しい場合、または、前記品券に基づき釣銭の払出しを行わない設定であり、前記品券の品券額が前記買上商品の合計金額より大きい場合には、少なくとも前記買上商品の明細と前記品券の品券額と前記買上商品の合計金額とを含む情報を出力する第２出力手段、として機能させるための制御プログラムである。
【手続補正８】
【補正対象書類名】明細書
【補正対象項目名】００５８
【補正方法】変更
【補正の内容】
【００５８】
以上、この発明の実施形態について図面を参照して詳述してきたが、具体的な構成はこの実施形態に限られるものではなく、この発明の要旨を逸脱しない範囲の設計等も含まれる。
本実施形態で示したＰＯＳシステムにおける登録精算装置１００及び精算装置２００に関し、以下の付記を開示する。
（付記１）
買上商品を登録する登録処理と該登録処理によって登録された商品について精算する精算処理とを実行する登録精算装置、及び、前記登録精算装置における登録処理によって登録された商品について精算する精算処理を実行する精算装置を含む商品登録精算システムにおける精算装置であって、所定のシートに印字されている印字内容を認識する認識手段と、登録処理によって登録された商品について精算する精算手段とを備え、前記認識手段は、一取引において、前記登録精算装置での登録処理を実行し、精算処理が完了していない商品について発行されるシートに印字されている印字内容を認識し、前記精算手段は、前記認識手段によって認識された前記印字内容に応じて、前記登録精算装置における登録処理によって登録された前記商品について精算することを特徴とする精算装置である。
これにより、登録精算装置において商品の登録後、未精算である商品について発行されるシートを読み取って、読み取ったシートに基づいて精算処理が実行される。つまり、精算装置は、登録精算装置（別の装置）によって実行された登録処理に続いて、精算処理を実行する。即ち、登録精算装置の処理の一部（精算処理）が、当該精算装置において実行される。従って、登録精算装置のレジ待ち時間が短くなる。なお、従来の登録精算装置に対し、上述の買上シートを発行する仕組みを組み込めば上述の効果を得ることができるため、従来の登録精算装置を改造等して使用する場合には手間とコストが抑えられる。
（付記２）
前記認識手段は、所定の印字内容を特定する文字情報を予め記憶している記憶部を参照することによって、商品の合計金額を表す文字情報である第１の文字情報、及び、商品券を表す文字情報である第２の文字情報を特定し、前記第１の文字情報に対応付けて印字されている第１の値と、前記第２の文字情報に対応付けて印字されている第２の値とを認識し、前記精算手段は、前記第１の値が第２の値よりも大きい場合には、前記第１の値から前記第２の値を減算した値を支払金額として前記商品について精算し、前記第２の値が前記第１の値よりも大きい場合には、前記第２の値から前記第１の値を減算した値をつり銭として前記商品について精算する。
これにより、精算装置は、登録精算装置で発行された明細情報が印字されていないシートの精算処理を実行することができる。したがって、精算装置は、登録精算装置の一部の精算処理を行うことができる。従って、登録精算装置のレジ待ち時間が短くなる。
（付記３）
前記認識手段は、前記シートに印字されている印字内容を認識することによって、前記印字内容から文字情報を取得し、前記精算手段は、所定の印字内容を特定する文字情報を予め記憶している記憶部を参照することによって、前記認識手段によって取得された前記文字情報と一致する文字情報を検索し、前記記憶部に記憶されている文字情報と前記認識手段によって認識された前記文字情報とが一致する情報が、支払金額を表す文字情報である場合には、前記一致する文字情報に対応付けて印字されている値を支払金額として前記商品について精算し、一致する文字情報が、つり銭を表す文字情報である場合には、前記一致する文字情報に対応付けて印字されている値をつり銭として前記商品について精算する。
これにより、精算装置は、登録精算装置で発行された明細情報が印字されていないシートに印字内容に文字情報が一つしか存在しない場合であっても、精算処理を実行することができる。したがって、精算装置は、登録精算装置の一部の精算処理を行うことができる。従って、登録精算装置のレジ待ち時間が短くなる。
（付記４）
買上商品を登録する登録処理と該登録処理によって登録された商品について現金以外による精算を行う精算処理とを実行する登録精算装置と、前記登録処理によって登録された商品に基づき顧客が自ら操作して少なくとも現金を用いて精算処理を行う精算装置を含むＰＯＳシステムにおいて、前記登録精算装置は、当該登録精算装置の精算処理において電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額と、を含む情報を出力する第一の出力手段と、当該登録精算装置の精算処理において電子マネーまたはクレジットカードを用いた精算方法でない場合、少なくとも前記買上商品の支払いに用いられる前記買上商品の合計金額を含む情報を出力する第二の出力手段と、を備え、前記精算装置は、前記第二の出力手段で出力された少なくとも前記買上商品の支払いに用いられる前記買上商品の合計金額を含む情報を取得する取得手段と、前記取得手段で取得した前記買上商品の支払いに用いられる前記買上商品の合計金額を含む情報に基づき前記買上商品の代金決済を行う決済手段と、前記決済手段により決済がなされると、少なくとも前記決済手段で決済された前記買上商品の合計金額を含む情報を出力する第三の出力手段と、を備えたことを特徴とするＰＯＳシステム。
（付記５）
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置であって、前記現金以外によって精算を行うための電子マネーまたはクレジットカードの何れかを受け付ける受付手段と、前記受付手段が受け付けた電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額と、を含む情報を出力する第一の出力手段と、当該登録精算装置の精算処理において電子マネーまたはクレジットカードを用いた精算方法でない場合、少なくとも前記買上商品の支払いに用いられる前記買上商品の合計金額を含む情報を出力する第二の出力手段と、を備えたことを特徴とする登録精算装置。
（付記６）
買上商品を登録する登録処理と該登録処理によって登録された商品について現金以外による精算を行う精算処理とを実行する登録精算装置として第１コンピュータを機能させ、前記登録処理によって登録された商品に基づき顧客が自ら操作して少なくとも現金を用いて精算処理を行う精算装置として第２コンピュータを機能させる、ＰＯＳシステムのプログラムであって、前記第１コンピュータに対し、当該第１コンピュータが実行する精算処理において電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額をと、を含む情報を出力する第一の出力手段と、当該第１コンピュータが実行する精算処理において用いられる前記買上商品の合計金額を含む情報を出力する第二の出力手段を実行させ、前記第２コンピュータに対し、前記第１コンピュータの前記第二の出力手段で出力された少なくとも前記買上商品の支払いに用いられる前記買上商品の合計金額を含む情報を取得する取得手段と、前記取得手段で取得した前記買上商品の支払いに用いられる前記買上商品の合計金額を含む情報に基づき前記買上商品の代金決済を行う決済手段と、前記決済手段により決済がなされると、少なくとも前記決済手段で決済された前記買上商品の合計金額を含む情報を出力する第三の出力手段と、を実行させるためのプログラム。
（付記７）
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置として機能するコンピュータに、前記現金以外によって精算を行うための電子マネーまたはクレジットカードの何れかを受け付ける受付手段と、前記受付手段が受け付けた電子マネーまたはクレジットカードを用いた精算方法である場合であって、前記電子マネーが記憶する金額情報が前記買上商品の合計金額以上である場合、または、クレジットカードによって前記買上商品の代金が決済された場合には、少なくとも前記買上商品の支払いに用いられる前記電子マネーの金額情報、または、前記クレジットカードによって決済された決済金額と、前記買上商品の合計金額と、を含む情報を出力する第一の出力手段と、当該登録精算装置の精算処理において電子マネーまたはクレジットカードを用いた精算方法でない場合、少なくとも前記買上商品の支払いに用いられる前記買上商品の合計金額を含む情報を出力する第二の出力手段と、を実行させるためのプログラム。
（付記８）
買上商品を登録する登録処理と該登録処理によって登録された商品について現金以外による精算を行う精算処理とを実行する登録精算装置と、前記登録処理によって登録された商品に基づき顧客が自ら操作して少なくとも現金を用いて精算処理を行う精算装置を含むＰＯＳシステムにおいて、
前記登録精算装置は、
当該登録精算装置の精算処理において電子マネー、クレジットカード、品券のいずれかを用いた精算方法である場合であって、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、を備え、
前記精算装置は、
前記第二の出力手段で出力された少なくとも前記精算装置において精算処理を実行させるための情報と、前記買上商品の支払いに用いられる前記買上商品の合計金額を含む情報を取得する取得手段と、
前記取得手段で取得した前記精算装置において精算処理を実行させるための情報と、前記買上商品の支払いに用いられる前記買上商品の合計金額を含む情報に基づき前記買上商品の代金決済を行う決済手段と、
前記決済手段により決済がなされると、少なくとも前記決済手段で決済された前記買上商品の合計金額を含む情報を出力する第三の出力手段と、
を備えたことを特徴とするＰＯＳシステム。
（付記９）
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置であって、
前記現金以外によって精算を行うための電子マネー、クレジットカード、品券の何れかを受け付ける受付手段と、
前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、
を備えたことを特徴とする登録精算装置。
（付記１０）
買上商品を登録する登録処理と該登録処理によって登録された商品について現金以外による精算を行う精算処理とを実行する登録精算装置として第１コンピュータを機能させ、前記登録処理によって登録された商品に基づき顧客が自ら操作して少なくとも現金を用いて精算処理を行う精算装置として第２コンピュータを機能させる、ＰＯＳシステムのプログラムであって、
前記第１コンピュータに対し、
当該第１コンピュータが実行する精算処理において電子マネー、クレジットカード、品券のいずれかを用いた精算方法である場合であって、前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該第１コンピュータが実行する精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段を実行させ、
前記第２コンピュータに対し、
前記第１コンピュータの前記第二の出力手段で出力された少なくとも前記精算装置において精算処理を実行させるための情報と、前記買上商品の支払いに用いられる前記買上商品の合計金額を含む情報を取得する取得手段と、
前記取得手段で取得した前記精算装置において精算処理を実行させるための情報と、前記買上商品の支払いに用いられる前記買上商品の合計金額を含む情報に基づき前記買上商品の代金決済を行う決済手段と、
前記決済手段により決済がなされると、少なくとも前記決済手段で決済された前記買上商品の合計金額を含む情報を出力する第三の出力手段と、
を実行させるためのプログラム。
（付記１１）
買上商品を登録する登録処理と該登録処理によって登録された商品について現金以外による精算を行う精算処理とを実行する登録精算装置と、前記登録処理によって登録された商品について少なくとも現金を用いて精算処理を実行する精算装置を含むＰＯＳシステムにおける登録精算装置として機能するコンピュータに、
前記現金以外によって精算を行うための電子マネー、クレジットカード、品券の何れかを受け付ける受付手段と、
前記電子マネーまたはクレジットカードによって前記買上商品の代金が決済された場合、または、前記品券の品券額と前記買上商品の合計金額とが同じである場合、あるいは、前記品券を用いた精算方法によって実行する精算処理において釣銭を払い出さない仕様であり、且つ、前記品券の品券額が前記買上商品の合計金額よりも大きい場合には、少なくとも前記買上商品の支払いに用いられた前記現金以外による精算方法によって決済された決済金額と、前記買上商品の合計金額と、を含む情報を出力する第一の出力手段と、
当該登録精算装置の精算処理において電子マネー、クレジットカード、品券のいずれかを用いた精算方法でない場合、または、前記品券を用いた精算方法によって実行する精算処理の仕様において釣銭を払い出す仕様であり、且つ、前記品券の品券額が前記買上商品の合計金額よりも大きい場合、あるいは、前記品券の品券額が前記買上商品の合計金額よりも大きくない場合には、少なくとも前記買上商品の支払いに用いられる前記精算装置において精算処理を実行させるための情報と、前記買上商品の合計金額を含む情報を出力する第二の出力手段と、
を実行させるためのプログラム。